(57)【要約】【課題】コーナー部で相対する各鉄筋ユニットの端部が、コーナー部の心墨交点から所定距離だけ離隔した状態で連結される配筋構造において、各鉄筋ユニットの端部を所定の位置に精度良く位置決めしうる鉄筋組立用治具を提供する。【解決手段】本発明の鉄筋組立用治具３は、上端主筋１１の折曲部１４の側面に沿うような略半円筒状のガイド面を有する一対のガイド部材３１，３１と、各ガイド部材３１の背面側に結合されてガイド面同士を直交状態に保持する一対のＬ字型支持部材３２，３２と、Ｌ字型支持部材３２の角部同士を連結する棒状の連結部材３３とを備える。各ガイド部材３１を、各鉄筋ユニット１ｘ  ，１ｙの折曲部１４に密着状態で取り付けることにより、各鉄筋ユニット１ｘ  ，１ｙが、それぞれ心墨Ｎｘ，Ｎｙ上に直立した状態で正確に保持される。【選択図】図２
2004211468.tif 000002
【特許請求の範囲】
【請求項１】
主筋の端部が垂直方向に折曲されてなる２組の鉄筋ユニット同士をコーナー部で対向させ、前記主筋の折曲部をそれぞれコーナーの心墨交点上から心墨方向に沿って所定距離だけ離隔した位置に保持するための鉄筋組立用治具であって、
前記主筋の折曲部の側面に沿うような略半円筒状のガイド面を有する一対のガイド部材と、前記各ガイド部材のガイド面の背面側に結合されて前記ガイド面を直交状態に保持する一対のＬ字型支持部材と、前記一対のＬ字型支持部材の角部同士を連結する棒状の連結部材とを備えることを特徴とする鉄筋組立用治具。
【発明の詳細な説明】
【０００１】
【発明の属する技術分野】
本発明は、コンクリート構造物の鉄筋を組立てるに際して鉄筋を精度良く保持するための治具に関する。
【０００２】
【従来の技術】
本出願人は、特許文献１において、図３〜図４に示すような配筋構造を提案している。これは、予め工場等にて先組み加工した鉄筋ユニット１を現場のコーナー部やＴ字状部で交叉連結する構造に関するものである。図示の部位は、基礎梁のコーナー部であって、２組の鉄筋ユニット１（１ｘ  ，１ｙ）が互いに直交するように配置される。各鉄筋ユニット１は、太径の上端主筋１１及び下端主筋１２と、それらを複数箇所で上下方向に連結する細径のスターラップ１３とからなり、両ユニットの上端主筋１１，１１同士、及び下端主筋１２，１２同士が、それぞれ平面視Ｌ字状に折曲されたコーナー補強筋２を介して連結される。各鉄筋ユニット１の端部において、上端主筋１１は垂直下方に、下端主筋１２は垂直上方に、それぞれ折曲されて互いに重合し、これらの折曲部１４，１５同士が溶接等によって接合されている。
【０００３】
この配筋構造では、各鉄筋ユニット１の端部にて、上端主筋１１の折曲部１４と下端主筋１２の折曲部１５とが重合して略コ字状に連続するので、この重合部分によって鉄筋ユニット１のコンクリート定着長さが確保される。この場合、コーナー部は構造上、ピン端部となるが、上端主筋１１及び下端主筋１２の軸力をコーナー補強筋２に伝える必要がないので、コーナー補強筋２を細径とすることができるとともに、コーナー部における配筋状態を簡素化してコンクリートの充填性を向上させることができる。
【０００４】
【特許文献１】
特開２０００−８７５０８号公報（段落００１５−００１９、図３）
【０００５】
【発明が解決しようとする課題】
前記した配筋構造においては、図４に示すように、コーナー部で相対する各鉄筋ユニット１（１ｘ  ，１ｙ）の端部が、各基礎梁の心墨Ｎ（Ｎｘ，Ｎｙ）の交点Ｏから所定距離Ｄ（実際には８０ｍｍ程度）ずつ各心墨Ｎ方向に離隔した状態で連結される。各鉄筋ユニット１の下端は各心墨Ｎ上に位置決めされるが、上端は枠組面の面外に対して不安定で、基礎梁の幅方向に傾倒しやすい。そのため、作業現場では、互いに接続される２組の鉄筋ユニット１ｘ  ，１ｙの各上端主筋１１，１１を、それぞれ各下端主筋１２，１２の直上に正確に保持し、なおかつ、その状態でコーナー補強筋２を両上端主筋１１，１１に精度良く結束するという作業に、相当の手間がかかっているのが実情である。
【０００６】
本発明は、このような事情に鑑みてなされたものであり、前記のような配筋構造において、コーナー部で相対する各鉄筋ユニットの端部を所定の位置に精度良く位置決めすることのできる鉄筋組立用治具を提供することを解決課題としている。
【０００７】
【課題を解決するための手段】
前記課題を解決するため、本発明の鉄筋組立用治具は、主筋の端部が垂直方向に折曲されてなる２組の鉄筋ユニット同士をコーナー部で対向させ、前記主筋の折曲部をそれぞれコーナーの心墨交点上から心墨方向に沿って所定距離だけ離隔した位置に保持するための鉄筋組立用治具であって、前記主筋の折曲部の側面に沿うような略半円筒状のガイド面を有する一対のガイド部材と、前記各ガイド部材のガイド面の背面側に結合されて前記ガイド面を直交状態に保持する一対のＬ字型支持部材と、前記一対のＬ字型支持部材の角部同士を連結する棒状の連結部材とを備えることを特徴とする。
【０００８】
【発明の実施の形態】
以下、本発明の実施の形態について、図面を参照しつつ説明する。なお、本発明の鉄筋組立用治具は、前記従来の技術にて説明したコーナー部の配筋構造（図３〜図４）において使用されるものであるから、前記配筋構造と共通する部位・部材には、共通の名称及び符号を使用する。
【０００９】
図１は本発明の鉄筋組立用治具３を示し、図２はその使用状態を示す。
【００１０】
この鉄筋組立用治具３は、一対のガイド部材３１，３１と、各ガイド部材３１，３１を連結して保持する一対のＬ字型支持部材３２，３２と、Ｌ字型支持部材３２，３２の角部同士を連結する棒状の連結部材３３とを一体に結合して形成されている。
【００１１】
ガイド部材３１は、適度な長さ（主筋の直径の数倍程度）を有する細長い部材で、その片側表面には、鉄筋ユニット１の端部に形成される折曲部１４の側面に沿うような略半円筒状のガイド面３１ａが形成されている。
【００１２】
Ｌ字型支持部材３２は、２本のアーム３２ａ，３２ａをＬ字状に直交させたもので、各アーム３２ａの先端が、各ガイド部材３１におけるガイド面３１ａの背面側にそれぞれ結合されている。これにより、対をなすガイド部材３１，３１は、互いのガイド面３１ａ，３１ａの母線方向を平行に、かつ法線方向を直交させるように保持される。
【００１３】
連結部材３３は、対をなすＬ字型支持部材３２，３２の角部間を連結して、両ガイド部材３１，３１の母線方向と平行に保持されている。そして、連結部材３３の軸心から各ガイド部材３１のガイド面３１ａまでの距離が、コーナー部に配置される鉄筋ユニット１のコーナー側端部（例示の形態では上端主筋１１の折曲部１４）から心墨交点Ｏまでの距離Ｄ（図４参照）と等しくなるように形成されている。
【００１４】
このように構成された鉄筋組立用治具３は、コーナー部の配筋作業において以下のように使用される。
【００１５】
まず、コーナー部を構成する２本の心墨Ｎｘ，Ｎｙ上に鉄筋ユニット１ｘ  ，１ｙをそれぞれ仮置きし、各心墨Ｎｘ，Ｎｙ方向のレベルと、心墨交点Ｏからの距離Ｄをそれぞれチェックして、各鉄筋ユニット１ｘ  ，１ｙの下端主筋１２，１２を、例えば図示のようなスペーサ４上に位置決めする。そして、各鉄筋ユニット１ｘ  ，１ｙの下端主筋１２，１２にＬ字状のコーナー補強筋２を結束する。この段階では、各鉄筋ユニット１ｘ  ，１ｙの上端主筋１１，１１は未だ不安定である。
【００１６】
次いで、一方の鉄筋ユニット１ｘ  の端部に形成された上端主筋１１の折曲部１４に、鉄筋組立用治具３の一方のガイド部材３１を取り付ける。この取り付けには、例えば図示のようなクランプ金物５を利用し、ガイド部材３１のガイド面３１ａを、折曲部１４のコーナー側の側面に密着させる。鉄筋組立用治具３を取り付ける位置は、折曲部１４の垂直な部分のうち、できるだけ高い位置が好ましい。
【００１７】
さらに、鉄筋組立用治具３の他方のガイド部材３１を、他方の鉄筋ユニット１ｙの端部に形成された上端主筋１１の折曲部１４に、同様にして取り付ける。これにより、２組の鉄筋ユニット１ｘ  ，１ｙが、それぞれ心墨Ｎｘ，Ｎｙ上に直立した状態で保持されることとなる。
【００１８】
念のため、各心墨Ｎｘ，Ｎｙの延長線上から鉄筋組立用治具３と各鉄筋ユニット１ｘ  ，１ｙを見通して、鉄筋組立用治具３の連結部材３３が心墨Ｎｘ，Ｎｙの交点Ｏ上にあることをチェックする。また、必要に応じて、鉄筋組立用治具３の連結部材３３から各鉄筋ユニット１ｘ  ，１ｙの他端側の基準位置までの寸法等を実測し、各心墨Ｎｘ，Ｎｙ方向の位置や距離をチェックする。
【００１９】
こうして各鉄筋ユニット１ｘ  ，１ｙが位置決めされたならば、各鉄筋ユニット１ｘ  ，１ｙの上端主筋１１，１１に上側のコーナー補強筋２を結束する。これにより、各鉄筋ユニット１ｘ  ，１ｙが、コーナー部に正しく組み立てられる。全ての配筋作業や型枠の建込み作業が完了したら、クランプ金物５と鉄筋組立用治具３を取り外して、コンクリートを打設する。
【００２０】
なお、例示の形態では、鉄筋組立用治具３を鉄筋ユニット１の折曲部１４に取り付けるに際して締付式のクランプ金物５を利用しているが、取付手段はこれに限定されない。鉄筋組立用治具３を鉄筋ユニット１の折曲部１４に密着状態で着脱できるものであれば、例えばバネを利用したクリップ式の金物等であってもよい。また、ガイド部材３１に、クランプ式ないしクリップ式の取付手段を予め一体に設けておくこともできる。
【００２１】
また、本発明の鉄筋組立用治具３を使用しうる配筋構造も、例示の形態のみに限定されるものではない。端部に適宜の垂直部分を有する２組の鉄筋ユニットを、コーナー部の交点Ｏから所定距離だけ離隔して配置する構造であれば、本発明の主旨を逸脱しない範囲で、類似の配筋構造に本発明の鉄筋組立用治具３を応用することができる。
【００２２】
【発明の効果】
コーナー部で相対する各鉄筋ユニットの端部が、コーナー部の心墨交点から所定距離だけ離隔した状態で連結される配筋構造において、本発明の鉄筋組立用治具を利用することにより、各鉄筋ユニットを、それぞれ心墨上に直立させた状態で正確に保持することができる。これにより、両鉄筋ユニットの組立・結束作業が効率化するとともに、配筋精度が向上する。
【図面の簡単な説明】
【図１】本発明の実施の形態にかかる鉄筋組立用治具の斜視図である。
【図２】前記鉄筋組立用治具の使用状態を示す斜視図である。
【図３】本発明が実施されるコーナー部の配筋構造を示す斜視図である。
【図４】図３に示した配筋構造の平面図である。
【符号の説明】
１（１ｘ  ，１ｙ）  鉄筋ユニット
１１    上端主筋
１２    下端主筋
１４    上端主筋の折曲部
１５    下端主筋の折曲部
３      鉄筋組立用治具
３１    ガイド部材
３１ａ  ガイド面
３２    Ｌ字型支持部材
３３    連結部材
Ｎ（Ｎｘ，Ｎｙ）  心墨
Ｏ      心墨の交点
【図１】
2004211468.tif 000003
【図２】
2004211468.tif 000004
【図３】
2004211468.tif 000005
【図４】
2004211468.tif 000006